(57)【要約】【課題】被験者に負担をかけることなく、被験者の無自覚な隠れた否定的な感情や自動思考を高精度に把握できるとともに、ストレス問題の軽減対処や問題解決に向けた気付き、自己成長を促すセラピーについても自動的に実施できる、サイコセラピー装置、サイコセラピーシステム及びサイコセラピー方法を提供する。【解決手段】本発明のサイコセラピー装置は、被験者の主訴についてのセラピーを実施するソリューション手段と、ソリューション手段によるサイコセラピー効果を表示する結果表示手段と、を備え、前記ソリューション手段は、被験者の主訴に基づいて想起された不快な場面の風景及び記憶、並びに、該風景又は記憶によって生じた不快な感情及び身体的違和感、のうちの少なくとも一種を、感覚イメージ情報として抽出した後、その抽出した感覚イメージ情報に応じて、画像を用いたセラピーを実施することを特徴とする。【選択図】図１
2018050684.tif 000002
【特許請求の範囲】
【請求項１】
被験者の主訴についてのセラピーを実施するソリューション手段と、ソリューション手段によるサイコセラピー効果を表示する結果表示手段と、を備え、
前記ソリューション手段は、被験者の主訴に基づいて想起された不快な場面の風景及び記憶、並びに、該風景又は記憶によって生じた不快な感情及び身体的違和感、のうちの少なくとも一種を、感覚イメージ情報として抽出した後、その抽出した感覚イメージ情報に応じて、画像を用いたセラピーを実施することを特徴とする、サイコセラピー装置。
【請求項２】
前記画像を用いたセラピーが、光イメージを用いて前記不快な感情及び／又は身体的違和感を癒す光イメージ法、又は、代理顔表象を用いて前記不快な感情及び／又は身体的違和感をコントロールする代理顔表象イメージ法によるセラピーであることを特徴とする、請求項１に記載のサイコセラピー装置。
【請求項３】
前記画像を用いたセラピーは、音声をさらに用いることを特徴とする、請求項１又は２に記載のサイコセラピー装置。
【請求項４】
前記画像を用いたセラピーを、バーチャル・リアリティ（ＶＲ）又はミックスド・リアリティ（ＭＲ）を用いて実施することを特徴とする、請求項１〜３のいずれか１項に記載のサイコセラピー装置。
【請求項５】
前記リューション手段は、人工知能（ＡＩ）を用いて実行されることを特徴とする、請求項１〜４のいずれか１項に記載のサイコセラピー装置。
【請求項６】
前記ソリューション手段によるセラピーに先立って、少なくとも前記主訴を含んだ前記被験者の自覚しているアセスメント情報を収集する、アセスメント手段と、収集した前記アセスメント情報の分析結果を提示し、前記被験者に対してセラピーの導入を促す、動機付け手段と、をさらに備えることを特徴とする、請求項１〜５のいずれか１項に記載のサイコセラピー装置。
【請求項７】
前記結果表示手段によるサイコセラピー効果の表示を行った後、前記被験者に必要な学習プログラムへと誘導する、学習プログラム誘導手段をさらに備えることを特徴とする、請求項１〜６のいずれか１項に記載のサイコセラピー装置。
【請求項８】
前記被験者ごとのセラピー結果を集計し、分析する、結果集計手段をさらに備えることを特徴とする、請求項１〜７のいずれか１項に記載のサイコセラピー装置。
【請求項９】
直接又はネットワークを介して、請求項１〜８のいずれか１項に記載のサイコセラピー装置が、被験者のセラピーを実施することを特徴とする、サイコセラピーシステム。
【請求項１０】
被験者が、パーソナルコンピュータ、ウェアラブルコンピュータ又はスマートフォンを用いて、前記サイコセラピー装置にアクセスすることを特徴とする、請求項９に記載のサイコセラピーシステム。
【請求項１１】
サイコセラピー装置によるサイコセラピー方法であって、
被験者の主訴についてのセラピーを実施するソリューション工程と、ソリューション手段によるサイコセラピー効果を表示する結果表示工程と、を備え、
前記ソリューション工程は、被験者の主訴に基づいて想起された不快な場面の風景及び記憶、並びに、該風景又は記憶によって生じた不快な感情及び身体的違和感、のうちの少なくとも一種を、感覚イメージ情報として抽出した後、その抽出した感覚イメージ情報に応じて、画像を用いたセラピーを実施することを特徴とする、サイコセラピー方法。
【請求項１２】
前記ソリューション工程に先立って、少なくとも前記主訴を含んだ前記被験者の自覚しているアセスメント情報を収集する、アセスメント収集工程と、収集した前記アセスメント情報の分析結果を提示し、前記被験者に対してセラピーの導入を促す、動機付け工程と、をさらに備えることを特徴とする、請求項１１に記載のサイコセラピー方法。
【発明の詳細な説明】
【技術分野】
【０００１】
本発明は、サイコセラピー装置、サイコセラピーシステム及びサイコセラピー方法であって、特に、ＳＡＴ法によるセラピーを自動で行うことができる、サイコセラピー装置、サイコセラピーシステム及びサイコセラピー方法に関する。
【背景技術】
【０００２】
近年、経済情勢や労働環境の変化に伴って、心身の不調や心の病を抱えている人々が増加している。この現状に対し厚生労働省は、労働者のメンタルヘルス対策を推進するため、平成12年8月に「事業場における労働者の心の健康づくりのための指針」を策定した。
さらに、事業場におけるメンタルヘルス対策の適切かつ有効な実施をより推進するため、平成18年3月には新たに「労働者の心の健康の保持増進のための指針（メンタルヘルス指針）」を掲げ、事業者が行う労働者のメンタルヘルス対策の強化を進めており、各企業においても、それぞれの実態に即した形で、メンタルヘルスケアの実施に積極的に取り組むことが期待されている。また、厚生労働省よりストレスチェック制度が導入され、定期的に労働者のストレスの状況について検査を行い、本人にその結果を通知して自らのストレスの状況について気付きを促し、個人のメンタルヘルス不調のリスクを低減させるとともに、検査結果を集団的に分析し、職場環境の改善につなげる取り組みがなされている。
【０００３】
メンタルヘルスケアについては、種々の方法が挙げられるが、その中の一手段として、対象者（被験者）とのカウンセリング・セラピーが挙げられる。
上記カウンセリング・セラピーの手法についても、多く種類が存在しているが、その中の手法の一つとしてＳＡＴ法（構造化連想法：Structured Association Technique）がある。このＳＡＴ法は、筑波大学大学院人間総合科学研究科宗像恒次研究室で開発され、筑波大学発ベンチャー株式会社SDSやＮＰＯ法人ヘルスカウンセリング学会を通じて日本のみならず、中国やドイツやオーストリアなどで普及されてきているカウンセリング・セラピー技法である。精神分析を開発したフロイトが自由連想法を活用しているのに対し、ＳＡＴ法は、感情の明確化、自己イメージ連想法、心傷風景連想法等、問いかけが構造化された連想法を用いることが特徴で、宗像恒次によって開発されたカウンセリング法である。また、ＳＡＴ法は、クライアントが問題（秘密）を語らなくても自己解決できるセラピー技法である。問題を語らず想起してもらうことで身体感覚化し、光イメージ法で干渉して身体違和感を身体良好感に変化させ、本人の味方イメージの顔表象化を促して、構造化した問いかけと回答法によって自己解決が可能なセラピー法であるといえる。このＳＡＴ法を用いることで、連想、ひらめき、直感といった右脳を機能させることが可能となり、思考ではなく言動の背後にある自らの感情やニーズを自覚し、心的防衛機制を超えて、無自覚な隠れた本当の感情や本当のあるがままの自己に気付くことができ、問題解決や自己成長を限られた時間で実現できる。
【０００４】
上述したように、メンタルヘルスケアの実施が推奨されていることに伴って、近年、カウンセラーによるカウンセリングではなく、コンピュータを用いたカウンセリング装置の開発が望まれている。カウンセリング装置を用いることで、多くの人々を同時にカウンセリングでき、カウンセリングのレベルが一定に保たれる等の利点があるためである。
【０００５】
そのような背景から、種々のカウンセリング装置が開発されている。例えば特許文献１には、携帯電話やパソコン或は双方向テレビ等と受信局とを接続し、利用者が前記双方向通信手段によって前記受信局にアクセスすると、前記受信局から前記利用者が求める癒しのパターンを選択すべく音声又は画像によるガイダンスが前記双方向通信手段に送信され、前記利用者が前記双方向通信手段によって癒しのパターンを選択すると、それに対するガイド音声又はガイド文字あるいはその両方が前記受信局から前記双方向通信手段に送信され、前記利用者が前記ガイド音声またはガイド文字に対応して言葉を発すると、それに対する癒しの音声と癒しの静止又は動画像が、前記受信局から前記双方向通信手段に送信されるカウンセリングシステムが開示されている。
しかしながら、引用文献１のカウンセリングシステムについては、カウンセリングの対象となる被験者の無自覚な隠れた本当の感情については把握することができず、十分なセラピーを実施できるものではなかった。
【０００６】
また、特許文献２〜４には、ＳＡＴ法を使ったカウンセリングシステムとして、被験者に対して、ＳＡＴ法に基づいたある質問やアンケートを行い、質問の回答から被験者の無自覚な隠れた感情を把握するカウンセリングシステム、が開示されている。
【先行技術文献】
【特許文献】
【０００７】
【特許文献１】特開２００６−０３１０９０号公報
【特許文献２】特許４８７１２１４号公報
【特許文献３】特許４９６０７６６号公報
【特許文献４】特許５１４６９４９号公報
【発明の概要】
【発明が解決しようとする課題】
【０００８】
しかしながら、特許文献２〜４の技術については、被験者の無自覚な隠れた否定的感情を把握することができるものの、あくまでも把握するだけであり、その感情を癒す等のセラピーについては実施できていなかった。また、特許文献２〜４の技術では、被験者の無自覚な隠れた否定的感情を把握するための心理テストやアンケートを、個人データの収集を目的として、ＷＥＢ上で活字によって繰り返し（最低８回以上）実施することから、被験者の不安をあおり、心理的な負担を大きくするおそれもあった。
【０００９】
上記課題を鑑みて、本発明の目的は、被験者に負担をかけることなく、被験者の無自覚な隠れた否定的な感情や自動思考を高精度に把握できるとともに、ストレス問題の軽減対処や問題解決に向けた気付き、自己成長を促すセラピーについても自動的に実施できる、サイコセラピー装置、サイコセラピーシステム及びサイコセラピー方法を提供することにある。
【課題を解決するための手段】
【００１０】
本発明者らは、上記課題を解決すべく鋭意研究を行った結果、被験者の主訴についてのセラピーを実施するソリューション手段を備えるサイコセラピー装置において、該ソリューション手段が、被験者の主訴に基づいて想起された感情及び／又は身体的違和感を、画像を含んだ感覚イメージ情報として抽出することによって、活字を用いる場合に比べて、被験者の不安や心理的な負担を軽減しつつ、被験者の無自覚な隠れた感情を感覚イメージ情報として高精度に把握でき、その後、前記ソリューション手段が、その抽出した感覚イメージ情報を分析し、抽出した感覚イメージ情報に応じたセラピーを画像を用いて実施することによって、被験者に過度な不安をあおることなく、被験者の無自覚な隠れた感情に起因した問題の解決や、被験者の自己成長を促すことが可能となることを見出し、本発明を完成するに至った。
【００１１】
本発明は、このような知見に基づきなされたもので、その要旨は以下の通りである。
（１）被験者の主訴についてのセラピーを実施するソリューション手段と、ソリューション手段によるサイコセラピー効果を表示する結果表示手段と、を備え、前記ソリューション手段は、被験者の主訴に基づいて想起された不快な場面の風景及び記憶、並びに、該風景又は記憶によって生じた不快な感情及び身体的違和感、のうちの少なくとも一種を、感覚イメージ情報として抽出した後、その抽出した感覚イメージ情報に応じて、画像を用いたセラピーを実施することを特徴とする、サイコセラピー装置。
【００１２】
（２）前記画像を用いたセラピーが、光イメージを用いて前記不快な感情及び／又は身体的違和感を癒す光イメージ法、又は、代理顔表象を用いて前記不快な感情及び／又は身体的違和感をコントロールする代理顔表象イメージ法によるセラピーであることを特徴とする、（１）に記載のサイコセラピー装置。
【００１３】
（３）前記画像を用いたセラピーは、音声をさらに用いることを特徴とする、（１）又は（２）に記載のサイコセラピー装置。
【００１４】
（４）前記画像を用いたセラピーを、バーチャル・リアリティ（ＶＲ）又はミックスド・リアリティ（ＭＲ）を用いて実施することを特徴とする、（１）〜（３）のいずれか１項に記載のサイコセラピー装置。
【００１５】
（５）前記リューション手段は、人工知能（ＡＩ）を用いて実行されることを特徴とする、（１）〜（４）のいずれか１項に記載のサイコセラピー装置。
【００１６】
（６）前記ソリューション手段によるセラピーに先立って、少なくとも前記主訴を含んだ前記被験者の自覚しているアセスメント情報を収集する、アセスメント手段と、収集した前記アセスメント情報の分析結果を提示し、前記被験者に対してセラピーの導入を促す、動機付け手段と、をさらに備えることを特徴とする、（１）〜（５）のいずれか１項に記載のサイコセラピー装置。
【００１７】
（７）前記結果表示手段によるサイコセラピー効果の表示を行った後、前記被験者に必要な学習プログラムへと誘導する、学習プログラム誘導手段をさらに備えることを特徴とする、（１）〜（６）のいずれか１項に記載のサイコセラピー装置。
【００１８】
（８）前記被験者ごとのセラピー結果を集計し、分析する、結果集計手段をさらに備えることを特徴とする、（１）〜（７）のいずれか１項に記載のサイコセラピー装置。
【００１９】
（９）直接又はネットワークを介して、（１）〜（８）のいずれか１項に記載のサイコセラピー装置が、被験者のセラピーを実施することを特徴とする、サイコセラピーシステム。
【００２０】
（１０）被験者が、パーソナルコンピュータ、ウェアラブルコンピュータ又はスマートフォンを用いて、前記サイコセラピー装置にアクセスすることを特徴とする、（９）に記載のサイコセラピーシステム。
【００２１】
（１１）サイコセラピー装置によるサイコセラピー方法であって、被験者の主訴についてのセラピーを実施するソリューション工程と、ソリューション手段によるサイコセラピー効果を表示する結果表示工程と、を備え、前記ソリューション工程は、被験者の主訴に基づいて想起された不快な場面の風景及び記憶、並びに、該風景又は記憶によって生じた不快な感情及び身体的違和感、のうちの少なくとも一種を、感覚イメージ情報として抽出した後、その抽出した感覚イメージ情報に応じて、画像を用いたセラピーを実施することを特徴とする、サイコセラピー方法。
【００２２】
（１２）前記ソリューション工程に先立って、少なくとも前記主訴を含んだ前記被験者の自覚しているアセスメント情報を収集する、アセスメント収集工程と、収集した前記アセスメント情報の分析結果を提示し、前記被験者に対してセラピーの導入を促す、動機付け工程と、をさらに備えることを特徴とする、（１１）に記載のサイコセラピー方法。
【発明の効果】
【００２３】
本発明によれば、被験者に負担をかけることなく、被験者の無自覚な隠れた否定的な感情や自動思考を高精度に把握できるとともに、ストレス問題の軽減対処や問題解決に向けた気付き、自己成長を促すセラピーについても自動的に実施できる、サイコセラピー装置、サイコセラピーシステム及びサイコセラピー方法を提供することが可能となる。
【図面の簡単な説明】
【００２４】
【図１】本発明のサイコセラピー装置によるサイコセラピーの流れの一実施形態を示したフロー図である。
【図２】本発明のサイコセラピー装置のソリューション手段によって実施される、光イメージ法の一例を示した図である。
【図３】本発明のサイコセラピー装置のソリューション手段によって実施された、光イメージ法によるセラピーの効果確認方法の一例を示した図である。
【図４】本発明のサイコセラピー装置のソリューション手段によって実施される、代理顔表象イメージ法の一例を示した図である。
【図５】本発明のサイコセラピー装置のソリューション手段によって実施された、代理顔表象イメージ法によるセラピーの効果確認方法の一例を示した図である。
【図６】本発明のサイコセラピーシステムの一実施形態を模式的に示した図である。
【発明を実施するための形態】
【００２５】
（サイコセラピー装置）
本発明に従うサイコセラピー装置について、必要に応じて図面を用いて説明する。
本発明によるサイコセラピー装置は、被験者の主訴についてのセラピーを実施するソリューション手段と、ソリューション手段によるサイコセラピー効果を表示する結果表示手段と、を備え、前記ソリューション手段は、被験者の主訴に基づいて想起された不快な場面の風景及び記憶、並びに、該風景又は記憶によって生じた不快な感情及び身体的違和感、のうちの少なくとも一種を、感覚イメージ情報として抽出した後、その抽出した感覚イメージ情報に応じてセラピーを実施することを特徴とする。
上記構成を具えることで、被験者に負担をかけることなく、被験者の無自覚な隠れた否定的な感情や自動思考を高精度に把握できるとともに、ストレス問題の軽減対処や問題解決に向けた気付き、自己成長を促すセラピーについても自動的に実施できる。
【００２６】
・ソリューション手段
ここで、図１は、本発明のサイコセラピー装置によるサイコセラピーの流れの一例を示したフロー図である。
前記ソリューション手段によるセラピーは、サイコセラピーにおいてソリューション工程（図１（ｃ））として実施される。
【００２７】
前記ソリューション手段は、まず、図１（ｃ）に示すように、被験者の主訴に基づいて想起された不快な場面の風景及び記憶、並びに、該風景又は記憶によって生じた不快な感情及び身体的違和感、のうちの少なくとも一種を、感覚イメージ情報として抽出する。
ここで、前記被験者の主訴とは、被験者が訴える症状や、抱える感情のうちの、主要なものをいう。また、本発明のサイコセラピー装置では、かかる主訴について、画像を含んだ情報（感覚イメージ情報）として抽出することで、従来の活字によって心理テストやアンケートを実施する方法に比べて、被験者に対して過度な不安を煽ることがなく、より直感的に（右脳を使用した状態で）、被験者の感情の状態を取得することもできる。
【００２８】
前記画像を含んだ感覚イメージ情報の取得については、ＳＡＴ法を参考に、主訴に基づいて想起された感情及び／又は身体的違和感を、画像を含んだ情報（例えば、色彩、形状イメージ、絵柄など）によって取得できる方法であれば特に限定はされない。例えば、被験者の抱えている主訴に関わる不快な感情や身体的違和感について、音声によって質問を行いながら、色彩、風景等の画像を選択させたり、実際の感情の状態や違和感の程度を選択させることによって感覚イメージ情報の取得が可能となる。
なお、前記感覚イメージ情報に含まれる画像とは、事象を視覚的に媒体に定着させたもので、文字を含まないものである。さらに、前記画像には、動画や色彩のみの画像等も含まれる。
【００２９】
また、前記ソリューション手段では、前記被験者の感覚イメージの取得後、該感覚イメージ情報に伴ったストレス度の測定を行い、前記被験者に無自覚なストレスを知覚、意識化させ、セラピーに向けた動機付けを行うこともできる。
【００３０】
その後、前記ソリューション手段は、図１（ｃ）に示すように、前記感覚イメージの分析結果に基づき、感覚イメージに応じたセラピーを、画像を用いて実施する。
前記被験者の主訴に基づいた問題を解決するべく右脳を働かせるためには、（ｉ）追い詰められた課題があるとき、又は、（ｉｉ）リラックスしていて心理的に安全感がある、若しくは夢やトランス状態にあり、心理的防衛機制の働きが弱っているときが、良い条件となる。そのため、セラピーの際に画像を用いることによって、上述した条件のうち、心理的な安全感を向上させ、心理的防衛機制の働きを弱めることができる結果、感覚イメージに応じて（被験者の主訴に起因した問題について）、被験者に過度な負担を与えることなく、無自覚のまま、短時間且つ効果的に解決や改善を図ることができる。また、言語や文字のみを用いたセラピーについては、選択する言葉や、進め方など、カウンセラーの技量によって左右される部分が大きいが、セラピーに画像を用いることで、カウンセラーがいなくとも一定の質を確保できるという効果もある。
【００３１】
ここで、前記画像を用いたセラピーについては、画像を用いたものであれば特に限定はされず、例えば、ＳＡＴ法に沿ったセラピー法を実施できる。その中でも、例えば、問題解決効果や、自己成長効果がより優れる点からは、光イメージを用いて心象を癒す光イメージ法、又は、代理顔表象を用いて嫌悪感情を癒す代理顔表象イメージ法によるセラピーであることが好ましい。
【００３２】
前記光イメージ法については、光イメージを用いて心象を癒す方法である。ここで、図２は、光イメージ法に用いられる光イメージのいくつかを列挙したものである。前記ソリューション手段は、前記取得した感覚イメージに基づいて、前記被験者に最も効果が望まれる光イメージを前記被験者に提供し、前記被験者は光イメージを選択する等の作業を行い、これによって不快な感情や身体的違和感を癒すことができる。光イメージの提供を繰り返すことで、前記被験者の不快な感情や身体的違和感による問題の解決や、自己成長が促進される。
前記光イメージ法によるセラピーの効果は、例えば図３に示すような形で確認が行われる。この確認によって、不快な感情や身体的違和感が十分に癒されていない場合には、再度光イメージ法によるセラピーを実施する。
【００３３】
前記代理顔表象イメージ法については、代理顔表象を用いて嫌悪感情を癒す方法である。ここで、図４は、代理顔表象イメージ法によるセラピーの一例を示したものである。前記ソリューション手段は、前記取得した感覚イメージに基づいて、前記被験者に最も効果が望まれる代理顔表象イメージを前記被験者に提供し、前記被験者は画像を選択する等の作業を行い、これによって不快な感情や身体的違和感をコントロールすることができる。この、代理顔表象イメージの提供を繰り返すことで、不快な感情や身体的違和感による問題の解決や、自己成長が促進される。
前記代理顔表象イメージ法によるセラピーの効果は、例えば図５に示すような形で確認が行われる。この確認によって、不快な感情や身体的違和感が十分に癒されていない場合には、再度代理顔表象イメージ法によるセラピーを実施する。
【００３４】
また、前記画像を用いたセラピーでは、音声をさらに併用できる。前記画像に加えて、さらに補助的に音声を用いることで、セラピーの進行を効率的に行えるとともに、画像だけを用いた場合よりも、前記被験者の問題解決効果を促進できる。
【００３５】
さらに、画像を用いたセラピーを、バーチャル・リアリティ（ＶＲ）又はミックスド・リアリティ（ＭＲ）を用いて実施することが好ましい。前記ＶＲ及びＭＲを用いることによって、前記被験者の心理的安全感をさらに高め、心理的防衛機制をさらに弱めることができるため、前記被験者の主訴に起因した問題の解決効果をより高めることができる。
【００３６】
なお、上述した前記ソリューション手段によるセラピーや、ソリューション工程の進行については、人工知能（ＡＩ）を用いて実行されることが好ましい。ＡＩは、識別能力、予測能力及び実行能力に優れることが知られており、これらの能力を応用することで、効率的且つ効果的に前記ソリューション手段を実できるからである。具体的には、被験者の回答結果複数の質問に対する利用者の回答内容を、ＡＩが総括し、総括した内容が被験者
【００３７】
また、前記ソリューション手段は、アラート機能を有することもできる。前記ソリューション手段によるセラピーの効果が十分に発揮されず、前記被験者の不快な感情や身体的違和感が全く改善されていない場合には、専門家への相談を勧奨する等のアラートを提供することができる。
【００３８】
・結果表示手段
本発明のサイコセラピー装置は、ソリューション手段によるサイコセラピー効果を表示する結果表示手段をさらに備える。
前記ソリューション手段によるサイコセラピー効果を表示することで、前記被験者は、サイコセラピー効果を実際に把握することができる。
【００３９】
ここで、前記結果表示手段による結果表示は、図１（ｄ）に示すように、前記ソリューション手段によるソリューションの後に行われる。前記結果表示手段は、前記ソリューション終了後、効果確認作業を行い、サイコセラピーの効果を表示する。
【００４０】
・アセスメント手段
さらに、本発明のサイコセラピー装置は、前記ソリューション手段によるセラピーに先立って、少なくとも前記主訴を含んだ前記被験者の自覚しているアセスメント情報を収集する（図１（ａ）を参照。）、アセスメント手段をさらに備えることが好ましい。
前記被験者のアセスメント情報を収集することで、前記ソリューション手段によって取得された前記被験者の無自覚の情報と比較し、前記ソリューション手段によるセラピーに生かすことができるからである。また、収集した前記アセスメント情報を蓄積することで、専門家により、さらなる調査や研究等に利用することもできる。
なお、本発明のサイコセラピー装置では、前記アセスメント手段によるアセスメント情報収集を経ることなく前記ソリューション手段によるサイコセラピーを実施することも可能であるし、該サイコセラピー後にアセスメント手段によるアセスメント情報収集を実施することもできる。
【００４１】
ここで、前記被験者のアセスメント情報としては、前記被験者の主訴情報に加えて、気質、感情、期待欲求、自己イメージ、心の本質的欲求、自己価値感、自己抑制型行動特性、情緒的支援ネットワーク認知、問題解決型行動特性、対人依存型行動特性、抑うつ傾向、SAT療法必要度、感情認知困難度、自己憐憫度、自己解離度及びPTSSのうちの少なくとも一種をさらに収集することが好ましく、これらの情報全てを収集することがより好ましい。前記アセスメント情報を用いて、タイプ分類を行うことが可能であり、タイプ分類の結果は、前記ソリューション手段によるセラピーの結果とともに、後述する学習プログラムの誘導へ役立てることができる。
【００４２】
・動機付け手段
さらにまた、本発明のサイコセラピー装置は、前記アセスメント手段によって収集した前記アセスメント情報の分析結果を、被験者に提示し、前記被験者に対してセラピーの導入を促す（図１（ｂ）を参照。）、動機付け手段をさらに備えることが好ましい。
前記被験者に、予め主訴に関する問題等を自覚させることで、前記ソリューション手段によるセラピーの効果をより高めることができる。
【００４３】
ここで、前記動機手段によるセラピーの導入の促進は、画像や音声によって行うことが好ましい。文字を用いた場合に比べて、前記被験者にかける負担が低減されるためである。
【００４４】
・学習プログラム誘導手段
また、本発明のサイコセラピー装置は、前記結果表示手段によるサイコセラピー効果の表示を行った後、前記被験者に必要な学習プログラムへと誘導する（図１（ｅ）を参照。）、学習プログラム誘導手段をさらに備えることが好ましい。
前記被験者は、心傷感情を癒し、さらなる自己成長を図ることを目的として、必要に応じて新たな学習プログラムを実施することが好ましい場合がある。前記学習プログラム誘導手段は、前記結果表示手段によって表示されたサイコセラピー効果や、前記アセスメント手段によって取得されたアセスメントに基づくタイプ分類を参考に、有効な学習プログラムへと誘導する。
【００４５】
・学習プログラム
前記被験者は、本発明のサイコセラピー装置によるサイコセラピーを受けた後、心傷感情を癒し、さらなる自己成長を図ることを目的として、必要に応じて新たな学習プログラムを実施することができる。
【００４６】
ここで、前記学習プログラムについては、ＳＡＴソーシャルスキルトレーニングのことをいい、公知の学習プログラムを用いればよい。例えば、気質コーチングスキルトレーニング、リスニングスキルトレーニング、アサーションスキルトレーニング、ネゴシエーションスキルトレーニング、ストレスマネジメントスキルトレーニング等が挙げられる。
【００４７】
・その他
また、本発明のサイコセラピー装置は、上述した、アセスメント手段、動機付け手段、ソリューション手段、結果表示手段及び学習プログラム誘導手段の他にも、必要に応じていくつかの手段を備えることができる。
例えば、前記被験者ごとのセラピー結果を集計し、分析する、結果集計手段をさらに備えることができる。各被験者のアセスメント情報や、ソリューション結果の情報を集計し、分析することで、組織・集団のメンタルヘルス向上に役立てることができるためである。
なお、前記集計手段による集計については、一人の被験者のサイコセラピーを行った後にその都度行うこともできるし、一定期間経過した後に、まとめて集計することもできる。
【００４８】
なお、本発明のサイコセラピー装置の装置構成については、装置として上述した動きをできるものであれば特に限定はされない。例えば、図６に示すように、アセスメント部１１、動機付け部１２、ソリューション部１３、結果表示部１４及び学習プログラム誘導部１５を有する制御部１０と、データベース２０ａ、２０ｂ・・・２０ｎから構成されるデータベース群２０とを含むサイコセラピー装置１が挙げられる。前記アセスメント部１１、動機付け部１２、ソリューション部１３、結果表示部１４及び学習プログラム誘導部１５      は、それぞれデータベース群と接続しており、前記アセスメント手段、動機付け手段、ソリューション手段、結果表示部手段及び学習プログラム誘導手段として動くために必要なデータを参照、使用できる。
【００４９】
（サイコセラピーシステム）
本発明のサイコセラピーシステムは、直接又はネットワークを介して、上述した本発明のサイコセラピー装置が、被験者のセラピーを実施することを特徴とする。
図６は、本発明のサイコセラピーシステムの一例を示したものであるが、被験者は、例えば、パーソナルコンピュータ３１、スマートフォン３２、ウェアラブルコンピュータ３３等の利用端末３０を利用して、ネットワークを介して本発明のサイコセラピー装置１にアクセスし、セラピーを受けることができる。
【００５０】
（サイコセラピー方法）
本発明のサイコセラピー方法は、サイコセラピー装置によるサイコセラピー方法であって、図１に示すように、被験者の主訴についてのセラピーを実施するソリューション工程（図１（ｃ））と、ソリューション手段によるサイコセラピー効果を表示する結果表示工程（図１（ｄ））と、を備え、
前記ソリューション工程は、被験者の主訴に基づいて想起された感情及び／又は身体的違和感を、画像を含んだ感覚イメージ情報として抽出した後、その抽出した感覚イメージ情報を分析し、画像を用いたセラピーを症状に応じて実施することを特徴とする。
上記構成を具えることで、被験者に負担をかけることなく、被験者の無自覚な隠れた否定的な感情や自動思考を高精度に把握できるとともに、ストレス問題の軽減対処や問題解決に向けた気付き、自己成長を促すセラピーについても自動的に実施できる。
【００５１】
また、本発明のサイコセラピー方法は、図１に示すように、前記リューション工程（図１（ｃ））に先立って、少なくとも前記主訴を含んだ前記被験者の自覚しているアセスメント情報を収集する、アセスメント収集工程（図１（ａ））と、収集した前記アセスメント情報の分析結果を提示し、前記被験者に対してセラピーの導入を促す、動機付け工程（図１（ｂ））と、をさらに備えることが好ましい。
【００５２】
なお、前記サイコセラピー装置によるサイコセラピーの具体的な構成ついては、本発明のサイコセラピー装置の中で説明した通りである。
【産業上の利用可能性】
【００５３】
本発明によれば、被験者に負担をかけることなく、被験者の無自覚な隠れた否定的な感情や自動思考を高精度に把握できるとともに、ストレス問題の軽減対処や問題解決に向けた気付き、自己成長を促すセラピーについても自動的に実施できる、サイコセラピー装置、サイコセラピーシステム及びサイコセラピー方法を提供することが可能となり、産業上有用である。
【符号の説明】
【００５４】
１    サイコセラピー装置
１０  制御部
１１  アセスメント部
１２  動機付け部
１３  ソリューション部
１４  結果表示部
１５  学習プログラム誘導部
２０  データベース群
３０  利用端末
３１  パーソナルコンピュータ
３２  スマートフォン
３３  ウェアラブルコンピュータ
【図１】
2018050684.tif 000003
【図２】
2018050684.tif 000004
【図３】
2018050684.tif 000005
【図４】
2018050684.tif 000006
【図５】
2018050684.tif 000007
【図６】
2018050684.tif 000008
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
被験者の主訴についてのセラピーを実施するソリューション手段と、ソリューション手段によるサイコセラピー効果を表示する結果表示手段と、を備え、
前記ソリューション手段は、被験者の主訴に基づいて想起された不快な場面の風景及び記憶、並びに、該風景又は記憶によって生じた不快な感情及び身体的違和感、のうちの少なくとも一種を、画像を含んだ感覚イメージ情報として抽出した後、その抽出した感覚イメージ情報に応じて、画像を用いたセラピーを実施することを特徴とする、サイコセラピー装置。
【請求項２】
前記画像を用いたセラピーが、光イメージを用いて前記不快な感情及び／又は身体的違和感を癒す光イメージ法、又は、代理顔表象を用いて前記不快な感情及び／又は身体的違和感をコントロールする代理顔表象イメージ法によるセラピーであることを特徴とする、請求項１に記載のサイコセラピー装置。
【請求項３】
前記画像を用いたセラピーは、音声をさらに用いることを特徴とする、請求項１又は２に記載のサイコセラピー装置。
【請求項４】
前記画像を用いたセラピーを、バーチャル・リアリティ（ＶＲ）又はミックスド・リアリティ（ＭＲ）を用いて実施することを特徴とする、請求項１〜３のいずれか１項に記載のサイコセラピー装置。
【請求項５】
前記ソリューション手段は、人工知能（ＡＩ）を用いて実行されることを特徴とする、請求項１〜４のいずれか１項に記載のサイコセラピー装置。
【請求項６】
前記ソリューション手段によるセラピーに先立って、少なくとも前記主訴を含んだ前記被験者の自覚しているアセスメント情報を収集する、アセスメント手段と、収集した前記アセスメント情報の分析結果を提示し、前記被験者に対してセラピーの導入を促す、動機付け手段と、をさらに備えることを特徴とする、請求項１〜５のいずれか１項に記載のサイコセラピー装置。
【請求項７】
前記結果表示手段によるサイコセラピー効果の表示を行った後、前記被験者に必要な学習プログラムへと誘導する、学習プログラム誘導手段をさらに備えることを特徴とする、請求項１〜６のいずれか１項に記載のサイコセラピー装置。
【請求項８】
前記被験者ごとのセラピー結果を集計し、分析する、結果集計手段をさらに備えることを特徴とする、請求項１〜７のいずれか１項に記載のサイコセラピー装置。
【請求項９】
直接又はネットワークを介して、請求項１〜８のいずれか１項に記載のサイコセラピー装置が、被験者のセラピーを実施することを特徴とする、サイコセラピーシステム。
【請求項１０】
前記被験者が、パーソナルコンピュータ、ウェアラブルコンピュータ又はスマートフォンを用いて、前記サイコセラピー装置にアクセスすることを特徴とする、請求項９に記載のサイコセラピーシステム。
【手続補正２】
【補正対象書類名】明細書
【補正対象項目名】００１１
【補正方法】変更
【補正の内容】
【００１１】
本発明は、このような知見に基づきなされたもので、その要旨は以下の通りである。
（１）被験者の主訴についてのセラピーを実施するソリューション手段と、ソリューション手段によるサイコセラピー効果を表示する結果表示手段と、を備え、前記ソリューション手段は、被験者の主訴に基づいて想起された不快な場面の風景及び記憶、並びに、該風景又は記憶によって生じた不快な感情及び身体的違和感、のうちの少なくとも一種を、画像を含んだ感覚イメージ情報として抽出した後、その抽出した感覚イメージ情報に応じて、画像を用いたセラピーを実施することを特徴とする、サイコセラピー装置。
【手続補正３】
【補正対象書類名】明細書
【補正対象項目名】００１５
【補正方法】変更
【補正の内容】
【００１５】
（５）前記ソリューション手段は、人工知能（ＡＩ）を用いて実行されることを特徴とする、（１）〜（４）のいずれか１項に記載のサイコセラピー装置。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００５１
【補正方法】変更
【補正の内容】
【００５１】
また、本発明のサイコセラピー方法は、図１に示すように、前記ソリューション工程（図１（ｃ））に先立って、少なくとも前記主訴を含んだ前記被験者の自覚しているアセスメント情報を収集する、アセスメント収集工程（図１（ａ））と、収集した前記アセスメント情報の分析結果を提示し、前記被験者に対してセラピーの導入を促す、動機付け工程（図１（ｂ））と、をさらに備えることが好ましい。